(57)【要約】【課題】沈澱池の池底に固定される一次レールに対して二次レールを着脱自在に取り付けるに当たり、二次レールの厚さの制約を殆ど受けず、かつ、二次レールに取り付け用の加工工程を要しない汚泥掻き寄せ機のレール構造を提供する。【解決手段】一対のガイドレール２には、二次レール４の一側端周りの端面および上面を覆うように、一次レール３の一方の側部に着脱自在に、かつ断続的に設けられる着脱ガイド部材８と、二次レール４の他側端周りの端面および上面を覆うように、一次レール３の他方の側部に連続的に設けられる固定ガイド部材９とが設けられる。二次レール４は一次レール３と着脱ガイド部材８と固定ガイド部材９とで囲まれた収容空間に遊嵌され、摺接部材２７が各固定ガイド部材９に当接することによりフライト板２２の横振れが阻止される。【選択図】図４
2010247064.tif 000002
【特許請求の範囲】
【請求項１】
無端状の条体に取り付けられて循環移動し、沈澱池の池底に沈澱した汚泥を掻き寄せるフライト板を備えた汚泥掻き寄せ機に関し、
池底に固定される一次レールと、この一次レールに載置され、前記フライト板の摺接部と摺接する平板状の二次レールとから構成され、前記フライト板の移動をガイドするガイドレールの構造であって、
前記ガイドレールは一対並設され、
各ガイドレールには、
二次レールの一側端周りの端面および上面を覆うように、一次レールの一方の側部に着脱自在に、かつガイドレールの延設方向に断続的に設けられる着脱ガイド部材と、
二次レールの他側端周りの端面および上面を覆うように、一次レールの他方の側部に、ガイドレールの延設方向に連続的に設けられる固定ガイド部材と、
が設けられ、二次レールは一次レールと着脱ガイド部材と固定ガイド部材とで囲まれた収容空間に遊嵌され、
前記摺接部が各固定ガイド部材に当接することにより前記フライト板の横振れが阻止されることを特徴とする汚泥掻き寄せ機のレール構造。
【請求項２】
前記フライト板が横振れしていない状態において、前記摺接部に対する固定ガイド部材の離間距離は同着脱ガイド部材の離間距離よりも小さく設定され、
前記フライト板が横振れして、一方のガイドレールにおける摺接部が固定ガイド部材に当接したとき、他方のガイドレールにおける摺接部と着脱ガイド部材との間に距離が空くように構成されていることを特徴とする請求項１に記載の汚泥掻き寄せ機のレール構造。
【発明の詳細な説明】
【技術分野】
【０００１】
本発明は、下水処理施設や浄水処理施設などの沈澱池に設置される汚泥掻き寄せ機のレール構造に関する。
【背景技術】
【０００２】
沈澱池に設置される汚泥掻き寄せ機のレール構造に関する従来技術として特許文献１に記載のものが挙げられる。図５は同文献に示された従来のレール構造の説明図であり、（ａ）はレールの延設方向から見たレール周りの部分正面図、（ｂ）は（ａ）の部分拡大図である。
【０００３】
符号５１は、循環移動するチェーン５２に取り付けられて汚泥を掻き寄せるフライト板を示す。フライト板５１には摺接具５３が取り付けられており、この摺接具５３が池底に固定された一次レール５４にガイドされることでフライト板５１の移動中の位置決めがなされる。
【０００４】
摺接具５３を一次レール５４に直に摺接させる構造にすると、両者に磨耗が生じてこれを交換する場合、摺接具５３については比較的容易に交換可能であるが、一次レール５４は池底に固定されていることから交換が困難となる。そのため、従来から、一次レール５４の上面に樹脂材等からなる二次レール５５を着脱自在に取り付けてこの二次レール５５に摺接具５３を摺接させることで、レールの交換を容易とする措置がとられている。図５（ｂ）に示すように、二次レール５５を一次レール５４に取り付けるためのボルト５６の頭部は、摺接具５３との干渉を避けるため、二次レール５５に形成した座ぐり孔に位置している。
【先行技術文献】
【特許文献】
【０００５】
【特許文献１】実開平６−７８０４号公報（図５）
【発明の概要】
【発明が解決しようとする課題】
【０００６】
しかしながら、図５（ｂ）に示したレール構造では、二次レール５５としての有効な厚さは、座ぐり孔の深さ寸法、すなわちボルト５６の頭部を逃がすための寸法分、余計にかかるという制約を受ける。また、二次レール５５としては、汎用の帯状平板材をそのまま使用できることが望ましいが、図５（ｂ）のレール構造では、複数の座ぐり孔の加工を施さなければならず、長尺の部材である二次レール５５を取り回して座ぐり加工を施すには手間と労力がかかる。
【０００７】
本発明は、このような問題を解決するために創作されたものであり、沈澱池の池底に固定される一次レールに対して平板状の二次レールを着脱自在に取り付けるに当たり、二次レールの厚さの制約を殆ど受けず、かつ、二次レールに取り付け用の加工工程を要しない汚泥掻き寄せ機のレール構造を提供することを目的としている。
【課題を解決するための手段】
【０００８】
本発明は、前記課題を解決するため、無端状の条体に取り付けられて循環移動し、沈澱池の池底に沈澱した汚泥を掻き寄せるフライト板を備えた汚泥掻き寄せ機に関し、池底に固定される一次レールと、この一次レールに載置され、前記フライト板の摺接部と摺接する平板状の二次レールとから構成され、前記フライト板の移動をガイドするガイドレールの構造であって、前記ガイドレールは一対並設され、各ガイドレールには、二次レールの一側端周りの端面および上面を覆うように、一次レールの一方の側部に着脱自在に、かつガイドレールの延設方向に断続的に設けられる着脱ガイド部材と、二次レールの他側端周りの端面および上面を覆うように、一次レールの他方の側部に、ガイドレールの延設方向に連続的に設けられる固定ガイド部材と、が設けられ、二次レールは一次レールと着脱ガイド部材と固定ガイド部材とで囲まれた収容空間に遊嵌され、前記摺接部が各固定ガイド部材に当接することにより前記フライト板の横振れが阻止されることを特徴とする汚泥掻き寄せ機のレール構造とした。
【０００９】
当該レール構造によれば、
（１）二次レールが遊嵌構造で一次レールに取り付けられるため、二次レール自体に何ら取り付け用の加工工程を施す必要がない。したがって、汎用品として市販されている帯条の平板材を、加工を施すことなくそのまま二次レールとして使用でき、レール交換に伴う手間と労力を省くことができる。着脱ガイド部材を断続的に設ける構造としたため、各着脱ガイド部材の大きさも小さくて済むこととなり、着脱ガイド部材の着脱作業時の取り回しも容易に行える。
（２）二次レールの有効厚さに関し、従来構造のようにボルトの頭部の逃げ寸法に関する制約を受けることがない。したがって、厚さ仕様の定められた汎用品の帯条の平板材に対する選択の自由度が広がり、板厚の薄い仕様の平板材を用いることができる。
等の効果が奏される。
【００１０】
また、本発明は、前記フライト板が横振れしていない状態において、前記摺接部に対する固定ガイド部材の離間距離は同着脱ガイド部材の離間距離よりも小さく設定され、前記フライト板が横振れして、一方のガイドレールにおける摺接部が固定ガイド部材に当接したとき、他方のガイドレールにおける摺接部と着脱ガイド部材との間に距離が空くように構成されていることを特徴とする。
【００１１】
当該レール構造によれば、断続的に設けた着脱ガイド部材同士の間にフライト板が位置したときに横振れが生じた場合、摺接部が着脱ガイド部材側に飛び出すという不都合を防止できる。
【発明の効果】
【００１２】
本発明によれば、沈澱池の池底に固定される一次レールに対して平板状の二次レールを着脱自在に取り付けるに当たり、二次レールの厚さの制約を殆ど受けず、また、二次レールに取り付け用の加工工程を要しないので、経済性および二次レールの交換作業性に優れたレール構造となる。
【図面の簡単な説明】
【００１３】
【図１】汚泥掻き寄せ機が設置された沈澱池の側断面図である。
【図２】本発明に係る汚泥掻き寄せ機のレール構造の正断面図である。
【図３】本発明に係る汚泥掻き寄せ機のレール構造の分解斜視図である。
【図４】本発明に係る汚泥掻き寄せ機のレール構造の正断面作用図であり、（ａ）はフライト板が横振れしていない状態、（ｂ）はフライト板が幅方向一方側に振れた状態を示す。
【図５】従来の汚泥掻き寄せ機のレール構造の説明図である。
【発明を実施するための形態】
【００１４】
図１において、沈澱池Ｐには、無端状のチェーン（条体）２１に取り付けられて沈澱池Ｐの長手方向に循環移動し、沈澱池Ｐの池底に沈澱した汚泥を掻き寄せるフライト板２２を備えた汚泥掻き寄せ機１が設置されている。チェーン２１は、沈澱池Ｐの幅方向（図１における紙面奥−手前方向）に一対並設されており、それぞれ沈澱池Ｐ内の複数箇所に設置されたスプロケット２３に掛け回され、チェーン２１の下部経路については、沈澱池Ｐの池底に沿うように引き回されている。
【００１５】
フライト板２２は、沈澱池Ｐの幅方向に延設される板状部材であり、一対のチェーン２１にかけてチェーン２１の外周側に所定間隔をおいて複数取り付けられる。図示しない駆動源により駆動用のスプロケット２３が回転駆動してチェーン２１が循環することで、チェーン２１の下部経路に位置したフライト板２２が池底に沈澱した汚泥を掻き寄せ、沈澱池Ｐの長手方向一端側に形成されたピット２４に汚泥を集積させる。
【００１６】
フライト板２２の循環移動は、チェーン２１の上部経路においては、沈澱池Ｐの側壁に設置されたガイドレール２５、２６にガイドされ、チェーン２１の下部経路においては、沈澱池Ｐの池底に設置されたガイドレール２にガイドされる。本発明は、後者のガイドレール２の構造に関するものである。
【００１７】
ガイドレール２は、沈澱池Ｐの長手方向に沿って池底に固定される一次レール３と、この一次レール３に載置され、フライト板２２の摺接部（摺接部材２７）と摺接する平板状の二次レール４とから構成され、図２に示すように、沈澱池Ｐの幅方向に一対並設されている。摺接部材２７は、例えば摺接箇所と干渉しない位置で図示しないボルト等によりフライト板２２に固定された部材である。
【００１８】
図２において、一次レール３は、例えば、池底に水平に設置される長尺平板状の鋼板５と、両フランジ６ｂの先端が鋼板５の上面にあてがわれるかたちで鋼板５に溶接等により固設される溝形鋼６とから構成されている。鋼板５の両側は図３に示すように長手方向に間隔をおいて溝形鋼６よりも突出するように形成されており、この突出部がアンカーボルト７等により池底に固定される。これにより、溝形鋼６のウェブ６ａの上面が二次レール４の載置面を構成する。なお、一次レール３の溝部などには適宜にコンクリートＣが流し込まれる。
【００１９】
二次レール４は、一次レール３の上面の幅寸法、つまり前記ウェブ６ａの長さ寸法よりも若干小さい程度の幅寸法を有した長尺平板状の部材である。二次レール４の材質としては例えば低摩擦係数の樹脂材などであるが、ステンレス等の金属や耐摩耗性に優れたセラミックなどでもよい。
【００２０】
図３、図４も参照して、各ガイドレール２には、二次レール４の一側端周りの端面４ａおよび上面４ｂを覆うように、一次レール３の一方の側部に着脱自在に、かつガイドレール２の延設方向に断続的に設けられる着脱ガイド部材８と、二次レール４の他側端周りの端面４ａおよび上面４ｂを覆うように、一次レール３の他方の側部に、ガイドレール２の延設方向に連続的に設けられる固定ガイド部材９と、が設けられる。「二次レール４の一側端周りの端面４ａおよび上面４ｂを覆うように、」および「二次レール４の他側端周りの端面４ａおよび上面４ｂを覆うように、」とは、それぞれの側端におけるフランジ６ｂを含む端面４ａ全域と上面４ｂの一部（幅方向の端部）とを覆うことを意味するものであり、上面４ｂの幅方向中央部領域は摺接部材２７と摺動するために露出する部位となる。そして、二次レール４は、一次レール３と着脱ガイド部材８と固定ガイド部材９とで囲まれた収容空間に遊嵌される。
【００２１】
着脱ガイド部材８は断面Ｌ字形状を呈した板状部材であって、長辺の側板部８ａが一次レール３の一方の側部、すなわち溝形鋼６の一方のフランジ６ｂにあてがわれ、短辺の上板部８ｂは前記した二次レール４の収容空間を形成するようにウェブ６ａの上面から離間してレール内側に向けて延設される。
【００２２】
一方のフランジ６ｂには、着脱ガイド部材８用の複数の取り付けボルト１０を通すための取り付け孔１１（図３）が穿設されるとともに、該フランジ６ｂの内面側には取り付け孔１１に対応させて袋ナット１２が溶接等により固設されており、取り付けボルト１０を袋ナット１２に螺合させることで着脱ガイド部材８が一次レール３に固定される。
【００２３】
固定ガイド部材９も例えば断面Ｌ字形状を呈した板状部材であって、長辺の側板部９ａが一次レール３の他方の側部、すなわち溝形鋼６の他方のフランジ６ｂにあてがわれ、短辺の上板部９ｂは二次レール４の収容空間を形成するようにウェブ６ａの上面から離間してレール内側に向けて延設される。固定ガイド部材９は、側板部９ａの部位で溶接等により一次レール３に固定される。場合によっては、固定ガイド部材９はボルト締結により一次レール３に固定されるものでもよい。なお、固定ガイド部材９は、二次レール４の略全長にわたって一体の部材である必要はなく、分割構成されたものでも無論よい。
【００２４】
図２に示すように、各ガイドレール２においては、着脱ガイド部材８を沈澱池Ｐの内側寄りのフランジ６ｂに、固定ガイド部材９を沈澱池Ｐの外側寄りのフランジ６ｂに取り付けているが、これとは逆に、各ガイドレール２において、着脱ガイド部材８を沈澱池Ｐの外側寄りのフランジ６ｂに、固定ガイド部材９を沈澱池Ｐの内側寄りのフランジ６ｂに取り付ける構成にしてもよい。
【００２５】
そして、フライト板２２が横振れしていない状態では、図４（ａ）に示すように、各ガイドレール２において共に、摺接部材２７に対する固定ガイド部材９の離間距離Ｐ１が、摺接部材２７に対する着脱ガイド部材８の離間距離Ｐ２よりも小さく設定されている。ここにいう「離間距離」とは勿論、フライト板２２の幅方向に関する距離である。また、フライト板２２が横振れして、一方のガイドレール２における摺接部材２７が固定ガイド部材９に当接したときには、他方のガイドレール２における摺接部材２７と着脱ガイド部材８との間に距離が空くように構成されている。
【００２６】
以上により、二次レール４は、一方の側端周りの端面４ａおよび上面４ｂが着脱ガイド部材８の側板部８ａおよび上板部８ｂに囲まれ、他方の側端周りの端面４ａおよび上面４ｂが固定ガイド部材９の側板部９ａおよび上板部９ｂに囲まれることで、幅方向および上方向への移動が阻止された状態で一次レール３上に取り付けられる。
【００２７】
そして、着脱ガイド部材８の上板部８ｂの先端と固定ガイド部材９の上板部９ｂの先端との間で露出した二次レール４の上面４ｂに対し、フライト板２２に取り付けた摺接部材２７が摺接する。フライト板２２の循環移動に伴い、フライト板２２に横振れが生じたときには、摺接部材２７が両固定ガイド部材９に当接することにより横振れが阻止される。
【００２８】
具体的には、図４（ｂ）に示すように、フライト板２２が図における左側に振れたとき、左側のガイドレール２において摺接部材２７が固定ガイド部材９に当接することでフライト板２２の左方向への横振れが規制される。また図示しないが、フライト板２２が図における右側に振れたときには、右側のガイドレール２において摺接部材２７が固定ガイド部材９に当接することでフライト板２２の右方向への横振れが規制される。固定ガイド部材９はいずれもガイドレール２の延設方向に連続的に設けられているので、摺接部材２７は必ず固定ガイド部材９に当接する。
【００２９】
また、図４（ｂ）に示すように、左側のガイドレール２において摺接部材２７が固定ガイド部材９に当接したとき、右側のガイドレール２における摺接部材２７と着脱ガイド部材８との間に距離が空き、右側のガイドレール２において摺接部材２７が固定ガイド部材９に当接したときには、左側のガイドレール２における摺接部材２７と着脱ガイド部材８との間に距離が空くように構成されているので、例えば、断続的に設けられている着脱ガイド部材８同士の間にフライト板２２が位置したときに横振れが生じた場合、摺接部材２７が着脱ガイド部材８側に飛び出すという不都合も解消される。
【００３０】
摺接部材２７との摺接によって摩耗した二次レール４を交換する際には、取り付けボルト１０を外して着脱ガイド部材８を取り外し、二次レール４を横に引き出すかたちで一次レール３の上面から外す。そして、新しい二次レール４に交換後、着脱ガイド部材８を取り付けボルト１０で固定して完了となる。
【００３１】
以上のように、各ガイドレール２には、二次レール４の一側端周りの端面４ａおよび上面４ｂを覆うように、一次レール３の一方の側部に着脱自在に、かつガイドレール２の延設方向に断続的に設けられる着脱ガイド部材８と、二次レール４の他側端周りの端面４ａおよび上面４ｂを覆うように、一次レール３の他方の側部に、ガイドレール２の延設方向に連続的に設けられる固定ガイド部材９と、が設けられ、二次レール４は、一次レール３と着脱ガイド部材８と固定ガイド部材９とで囲まれた収容空間に遊嵌され、摺接部材２７が各固定ガイド部材９に当接することによりフライト板２２の横振れが阻止される構成とすれば、以下のような効果が奏される。
【００３２】
（１）二次レール４が遊嵌構造で一次レール３に取り付けられるため、二次レール４自体に何ら取り付け用の加工工程を施す必要がない。したがって、汎用品として市販されている帯条の平板材を、加工を施すことなくそのまま二次レール４として使用でき、レール交換に伴う手間と労力を省くことができる。着脱ガイド部材９を断続的に設ける構造としたため、各着脱ガイド部材９の大きさも小さくて済むこととなり、着脱ガイド部材９の着脱作業時の取り回しも容易に行える。
【００３３】
（２）二次レール４の有効厚さに関し、図５（ｂ）に示した従来構造のようにボルトの頭部の逃げ寸法に関する制約を受けることがない。したがって、厚さ仕様の定められた汎用品の帯条の平板材に対する選択の自由度が広がり、板厚の薄い仕様の平板材を用いることができる。
【００３４】
以上、本発明の好適な実施形態を説明したが、本発明は図面に記載したものに限定されることなく、その趣旨を逸脱しない範囲で様々な設計変更が可能である。例えば、一次レール３としては二次レール４を載置できる形状であれば溝形鋼に限られることはなく、着脱ガイド部材８や固定ガイド部材９についても一次レール３の側部形状に合わせて様々な形状にすることができる。
【符号の説明】
【００３５】
１      汚泥掻き寄せ機
２      ガイドレール
３      一次レール
４      二次レール
８      着脱ガイド部材
９      固定ガイド部材
２１      チェーン（条体）
２２      フライト板
２７      摺接部材（摺接部）
Ｐ      沈澱池
【図１】
2010247064.tif 000003
【図２】
2010247064.tif 000004
【図３】
2010247064.tif 000005
【図４】
2010247064.tif 000006
【図５】
2010247064.tif 000007